(57)【要約】【課題】  原稿読み取り搬送中の原稿面を、先端部分から後端部分まで、ほぼ全域にわたってコンタクトガラス面に摺擦させることなく搬送できる画像読み取り装置を提供する。【解決手段】  コンタクトガラス３３と、ガイド２０ｃとで形成された隙間内の所定位置に設けられた原稿読み取り位置に原稿３１を搬送しつつ読み取り手段によって原稿画像を読み取る原稿画像読み取り装置において、少なくとも前記原稿３１の面が直接前記コンタクトガラス３３の原稿搬送面側の読み取り位置近傍に接触しない構成を有する。【選択図】        図１０
2005260831.tif 000002
【特許請求の範囲】
【請求項１】
コンタクトガラスとガイドとの間に形成される隙間内の所定位置に設けられた原稿読み取り位置に原稿を搬送しつつ読み取り手段によって原稿画像を読み取る原稿画像読み取り装置において、少なくとも前記原稿の面が直接前記コンタクトガラスの原稿搬送面側の読み取り位置近傍に接触しない構成を有することを特徴とする原稿画像読み取り装置。
【請求項２】
前記コンタクトガラスの原稿搬送面側の読み取り位置近傍に、読み取り主走査方向と略平行する方向に段差部を形成し、前記コンタクトガラスの原稿搬送面の少なくとも読み取り位置の範囲に、撥油作用および撥水作用を有する物質をコーティングしたことを特徴とする請求項１記載の原稿画像読み取り装置。
【請求項３】
前記段差部は、読み取り位置の範囲を凹み形状部分内に位置させるように構成されていることを特徴とする請求項１記載の原稿画像読み取り装置。
【請求項４】
前記段差部は、読み取り位置の下流位置に、下流側が高くなるような階段形状部分として形成されることを特徴とする請求項１記載の原稿画像読み取り装置。
【請求項５】
前記段差部は、読み取り位置の上流側かまたは下流側の何れか一方、または両側に凸形状の突起状物として形成されることを特徴とする請求項１記載の原稿画像読み取り装置。
【請求項６】
前記段差部の段の値が、５μｍから１００μｍであることを特徴とする請求項１記載の原稿画像読み取り装置。
【請求項７】
前記コンタクトガラスの下流端に前記コンタクトガラスの原稿通紙面より原稿を掬い上げる傾斜面を有する突起状部材を設けると共に、前記コンタクトガラスの上面には、前記原稿の上方へのバタ付きを押さえる原稿押さえ部材を配置し、前記突起状部材が少なくとも１以上の突起形状部分を有し、前記原稿押さえ部材の下流側の端部が、前記突起形状部分の少なくとも最上流の凸部より下流位置で、前記最上流の凸部の最頂部とほぼ同一の高さ、或いは前記最頂部よりも所定量低い点まで落ち込んだ位置に設定されている読み取り原稿ガイド構成を有することを特徴とする請求項１記載の原稿画像読み取り装置。
【請求項８】
前記コンタクトガラス上への原稿進入角度が、原稿先端エッジが前記コンタクトガラス面を摺擦するに足る角度を有していることを特徴とする請求項７記載の原稿画像読み取り装置。
【請求項９】
画像読み取り位置は、前記コンタクトガラス上に原稿が進入したとき、前記原稿先端エッジが最初に前記コンタクトガラスに着地する点より搬送下流側に設定してあることを特徴とする請求項７記載の原稿画像読み取り装置。
【発明の詳細な説明】
【技術分野】
【０００１】
本発明は、複写機、スキャナ等の、自動原稿搬送装置（ＡＤＦ）を備えたシートスルー型原稿画像読み取り装置に関するものである。
【背景技術】
【０００２】
静止した光学的な読み取り手段に対して、シート原稿を搬送しながら画像を読み取る方法は機構が簡易で、小型軽量化が図れるため、コスト面で有利となることが知られている（例えば、特許文献１ないし７参照）。
シート原稿を光学的な読み取り手段に対して搬送し、画像を読み取る上述したシートスルータイプの読取装置においては、コンタクトガラス上に固定させた原稿に対して、スキャナを走査して読み取りを行い、しかる後、コンタクトガラス上から原稿を排出すると言った読取装置における断続的な動きによるロスの発生と、コンタクトガラス上を搬送ベルトのみで搬送すると言った不安定な構造が無い。
また、従来のように高速で原稿を読取位置に送り込んで停止させ、また送り出すと言った高速での入れ換え作業の必要が無く、原稿搬送速度は、画像を読み取る速度で搬送すれば良いため、騒音面、原稿保護の面で有利となり、のデジタル複写機や、スキャナの読み取り機構の主流になっている
このように利点の多いシートスルータイプの読み取り装置であるが、唯一大きな欠点は、光学読み取り部が固定されているために、読み取り位置に異物が滞留する、または、所定の読み取り速度より遅い速度で読み取り位置を通過すると、異物の画像が線状に表現されてしまい、従来のようにゴミの形にしか表現されなかったものと比較すると、数段、画質を劣化させてしまう結果となる。
このように、重大な結果を招く異物の写り込みの発生原因はコンタクトガラス面への原稿による異物の搬送によるものが多い。その異物の例としては、用紙の紙紛があり、これは画像の黒い部分に対して白スジとなって表現されることが多い。
次に、コピー画像からトナー塊がコンタクトガラス面に落下していると、地肌部分に黒スジとして表現されるが、一般に原稿の白色部分は９５％以上を占めているため、この黒スジが最も目立つ存在となる。
以上は、ガラス上を移動可能な異物の例であるが、このほかの異物としては、粘着物や、固着物が有る。
【０００３】
粘着物の主なものとしては、ポストイット（登録商標）を剪断的に剥がした後に発生する原稿への糊残り、スプレー糊による切り張り原稿の糊、未乾燥のスティック糊のはみだし等の粘着物がコンタクトガラスに付着したものを挙げることができる。
市場で稼働している画像形成装置のコンタクトガラスを回収して、付着物の成分を分析してみると、ポストイット（登録商標）や、両面テープに使用されているアクリル系粘着剤の成分である、アクリル酸ブチル、アクリル、６−メチルヘプタノールなどが検出された。
その割合としては、回収サンプルの約２割に粘着物質の付着が見られ、その中には、読み取りライン上に付着していて、粘着物が、黒スジとなって表現されているものも見られた。粘着物が黒スジとなるのは、粘着物にコピー原稿のトナーが付着し黒い塊となるためである。
固着物については、修正液の白色ペイントが半乾きの状態で通紙された場合にガラスに付着し、白スジとなるものがある。修正液の場合には、ガラス面をライン上に汚す場合が多く、読み取り点上を覆う確率が高く、付着すると、白スジになりやすい。
このように、原稿がコンタクトガラス面を摺擦するように搬送されることによって、読み取りガラスは、原稿が運んでくる各種の異物による影響を、大きく受けることになる。
【特許文献１】特開平１０−３２７２９６号公報
【特許文献２】特開２０００−３９６８０公報
【特許文献３】特開平１１−９２１７７号公報
【特許文献４】特開２０００−２８７０２６公報
【特許文献５】特許第３１３４７７３号
【特許文献６】特開平１１−３０８４０４号公報
【特許文献７】特開２００１−３３１０００公報
【発明の開示】
【発明が解決しようとする課題】
【０００４】
このような不具合の改善策として、特許文献５のような技術が開示されているが、この場合の効果として、原稿の先端部分では、コンタクトガラスに接触せず、原稿面が運んでくる異物をコンタクトガラスに擦り付けるチャンスは少ないと言える。
しかしながら、原稿の後端側に関しては、全く無防備となっており、後端がコンタクトガラス面より一段高い面から落下したとたん、原稿面がコンタクトガラスに衝撃的に接触し、異物をまき散らす、または粘着物質を付着させることを防止できない。ポストイット（登録商標）などは、とくに原稿端部に貼ることが多く、原稿後端は粘着剤付着確率が高い部分である。
また、特許文献６および７では、読み取り下流において原稿を支持するガイド面構成が指示されているが、原稿の後端をコンタクトガラス面との位置関係において制御しようとするものでは無いため、この構成では、原稿面とガラスの摺接を絶つことはできない。
シートスルー読み取り方式の原稿搬送方法として、コンタクトガラスの読み取りライン上を原稿が強く摺擦する方法は、原稿によるセルフクリーニング作用が期待できる反面、原稿に付いたインクや、糊成分等がコンタクトガラスの読み取りライン上に付着し、これがスジ状の汚れとなって表現されてしまう。
しかし、原稿を完全にコンタクトガラスに接触させない方法にすると、今度は、セルフクリーニング作用が全くなくなり、紙紛等のゴミが読み取り部分に溜まり、白スジの大量発生となることが確認された。
このため、各種スジの原因となる紙紛、トナー紛、インク、糊、修正液、等の付着、滞留を総合的に防止する手段の対応と、その手段を長期に維持する手段の開発が望まれている。
解決手段として原稿搬送経路に設ける段差は、浅すぎると摺擦圧力を低減する効果がないし、深すぎると紙紛の溜まり場となってしまい、白スジの発生が大幅に増加する結果となるため、強く擦らないが、用紙先後端で確実にセルフクリーニング効果を発揮できる程度の段差量が望ましい。また、原稿搬送に際して障害とならない段差形状であることが必要になる。
そこで本発明の目的は、上記の問題点を解決するために、原稿読み取り搬送中の原稿面を、先端部分から後端部分まで、ほぼ全域にわたってコンタクトガラス面に摺擦させることなく搬送できる画像読み取り装置を提供することにある。
【課題を解決するための手段】
【０００５】
上記目的を達成するために、請求項１記載の発明は、コンタクトガラスと、ガイドとで形成された隙間内の所定位置に設けられた原稿読み取り位置に原稿を搬送しつつ読み取り手段によって原稿画像を読み取る原稿画像読み取り装置において、少なくとも前記原稿の面が直接前記コンタクトガラスの原稿搬送面側の読み取り位置近傍に接触しない構成を有する原稿画像読み取り装置を特徴とする。
また、請求項２記載の発明は、前記構成として、前記コンタクトガラスの原稿搬送面側の読み取り位置近傍に、読み取り主走査方向と略平行する方向に段差部を形成し、前記コンタクトガラスの原稿搬送面の少なくとも読み取り位置の範囲に、撥油作用および撥水作用を有する物質をコーティングした請求項１記載の原稿画像読み取り装置を特徴とする。
また、請求項３記載の発明は、前記段差部が読み取り位置の範囲を凹み形状部分として形成される請求項１記載の原稿画像読み取り装置を特徴とする。
また、請求項４記載の発明は、前記段差部が、読み取り位置の下流位置に、下流側が高くなるような階段形状部分として形成される請求項１記載の原稿画像読み取り装置を特徴とする。
また、請求項５記載の発明は、前記段差部が読み取り位置の上流側かまたは下流側の何れか一方、または両側に凸形状の突起状物として形成される請求項１記載の原稿画像読み取り装置を特徴とする。
また、請求項６記載の発明は、前記段差部の段の量が、５μｍから１００μｍである請求項１記載の原稿画像読み取り装置を特徴とする。
また、請求項７記載の発明は、前記構成として、前記コンタクトガラスの下流端に前記コンタクトガラスの原稿通紙面より原稿を掬い上げる傾斜面を有する突起状部材を設けると共に、前記コンタクトガラスの上面には、前記原稿の上方へのバタ付きを押さえる原稿押さえ部材を配置し、前記突起状部材が少なくとも１以上の突起形状部分を有し、前記原稿押さえ部材の下流側の端部が、前記突起形状部分の少なくとも最上流の凸部より下流位置で、前記最上流の凸部の最頂部とほぼ同一の高さ、或いは前記最頂部よりも所定量低い点まで落ち込んだ位置に設定されている読み取り原稿ガイド構成を有する請求項１記載の原稿画像読み取り装置を特徴とする。
また、請求項８記載の発明は、前記コンタクトガラス上への原稿進入角度が、原稿先端エッジが前記コンタクトガラス面を摺擦するに足る角度を有している請求項７記載の原稿画像読み取り装置を特徴とする。
また、請求項９記載の発明は、画像読み取りポイントの設定位置が、前記コンタクトガラス上に原稿が進入したとき、前記原稿先端エッジが最初に前記コンタクトガラスに着地する点より搬送下流側に設定してある請求項７記載の原稿画像読み取り装置を特徴とする。
【発明の効果】
【０００６】
本発明によれば、ガラスの読み取り部分に付着する各種の汚れ物質の付着を、ガラス面に施した撥水撥油コーティングの効果により効率よく防止でき、かつ長期間その効力を持続させることができる。
【発明を実施するための最良の形態】
【０００７】
図１は本発明によるシートスルー式の原稿読み取り装置の第１の実施の形態を示す概略図である。図１に示す原稿テーブル１上にセットされた原稿は、分離装置２により１枚毎に分離されて給送され、突き当て整合装置３により曲がり補正を行われた後、ターンローラ４の搬送加圧コロ１０によって原稿読み取り部に搬送され、コンタクトガラス１１上を滑りながら搬送される。
このとき、図示しない光学装置により原稿の画像が読み取られる仕組みになっている。コンタクトガラス１１上の読み取り部を通過した原稿は読み取り出口側搬送ローラ２０により搬送されて排紙スタッカ４０内に排紙され、一連のコピー作業が完了する。
両面コピーの場合は、反転搬送経路にスイッチバック方式で原稿が搬送され裏面が再度読み取り部分を通過し、読み取りが行われる。この読み取り時に、読み取りライン上に異物があると、それがスジとして表現されることになる。
この対策として、コンタクトガラス１１の表面に撥水、撥油性能を有する物質をコーティングすることで異物の付着を防止すると共に、撥水、撥油性能を有する物質は、摩擦係数を低下させる効果も併せ持つ場合が多く、浮遊系の異物（紙紛、トナー紛等）の移動を有利にする効果も期待できる。
コンタクトガラス１１に撥水、撥油作用をもたらすコーティング剤のコーティング方法としては、一分子中に有機官能基と、加水分解基を持つシランカップリング剤を媒介として、有機樹脂と無機質を結び付ける方法により、テフロン（登録商標）等の撥水性を有する有機樹脂と無機ガラスを結合させる方法が採られる。
しかし、ガラス面へのコーティングについては、機械的摩擦に弱く、初期品質としては大きな効果を発揮するが、経時的にその効果が半減する。本発明は、このような経時的変化を引き延ばすことを目的としている。
【０００８】
図２は読み取り部前後の搬送ローラ駆動手段が１個の大径ローラ４で構成されている構造を示す拡大図である。図３は読み取り部前後の搬送ローラ駆動手段が別々の駆動ローラ４と１０、４１と２０で夫々構成されている例である。
図４は図１のコンタクトガラスに設けられる段差の第１の実施の形態を示す概略図である。図５は図１のコンタクトガラスに設けられる段差の第２の実施の形態を示す概略図である。図６は図１のコンタクトガラスに設けられる段差の第３の実施の形態を示す概略図である。
図４では、段差部はコンタクトガラス１１の表面の読み取り点（１２）の範囲近傍を所定量（所定深さの）凹形状部分１８としている。つまり、読み取り点の上下流両側に段差部が存在している。
図５では、コンタクトガラス１１上の段差部１８の形成を原稿搬送（読み取り点１２）の上流側を広い範囲に亘って低くし、下流側の低い範囲を狭くして直ぐに一段高くなるような構成としている。この場合も上記と同様の効果が得られるが、さらに、段差が下流側だけに存在しているため、上流側の段差部直近に発生する紙紛溜まりが解消される。
図６では、段差部１８の付け方を、１部分を削り取るのではなく、１部分に別の材料を突起状に盛り上げて構成した例であり、これは段差製法上の事例である。コンタクトガラス１１に施した段差部１８の形状は、何れも説明用に変形した表現となっているため、深い段差のように描かれているが５〜１００μｍ程度の微小な値であり原稿の搬送に障害となる段差ではない。
また、段差部１８が低い場合には、原稿の表面に突出した繊維が凹み部分の紙紛等をセルフクリーニングする効果があるため、強く摺擦してコーティング膜を削り取ること無く、原稿のクリーニング作用を適度に残すことが可能である。
【０００９】
図７は原稿先端が段差部に進入する挙動を示す概略図である。図８は原稿先端が段差部を通過した挙動を示す概略図である。図９は原稿後端が段差部に進入する挙動を示す概略図である。
図７に示すように、原稿Ｐの先端においては、原稿Ｐとコンタクトガラス１１の接触があるが、原稿Ｐの先端がコンタクトガラス１１の段差部１８を乗り越えた後は、図８に示すように、段差部１８の高い部分に阻まれて積極的には原稿Ｐとコンタクトガラス１１が接触しない。
図９は原稿後端がコンタクトガラス１１を通過する状態を示しているが、この場合は、後端のエッジのみがコンタクトガラス１１の凹み部分に接触する。
このようにして、原稿Ｐとコンタクトガラス１１は、或る１部分ではセルフクリーニング効果を発揮するが、読み取り中の多くの範囲では、原稿読み取り部のコンタクトガラス１１面には殆ど触れないため、表面コーティングが摩耗し難い状態が作られ得る。簡単な構造で、その加工も短時間で可能である。
この実施の形態によれば、簡単な構造で、その加工も短時間で可能である。また、コンタクトガラス１１に施した微細な段差の形状効果により、原稿Ｐの搬送品質を損なうこと無く、原稿Ｐによるセルフクリーニング効果を持たせたまま、表面コーティングの摩耗を低減しコーティング効果を長期間維持することができる。
【００１０】
図１０は本発明による原稿画像読み取り装置の第２の実施の形態を説明する概略図である。図１０において、給紙／分離部は原稿テーブル３２に積み重ねられた原稿３１を最上位から１枚ずつ順番に搬送する。
底板３４は原稿テーブル３２上の原稿給紙側を支持して呼び出しコロ３５に接する位置まで上昇させる。給紙部材３６は給紙方向に回転して呼び出しコロ３５によって呼び出された原稿３１を取り込み、分離部材３７は給紙方向と逆方向に回転し、給紙された原稿３１の最上位の１枚のみを分離する。
搬送部は給紙／分離部から搬送された原稿３１をコンタクトガラス３３上の読み取り位置まで搬送し、搬送ローラ対３８、３８ａ、中間搬送ローラ４１、４１ａ等から構成されている。
搬送ローラ対３８、３８ａにより挟持搬送されてきた原稿３１はコンタクトガラス３３上を移動して装置本体５０の本体側ガイド５０ｃに掬い取られた後、原稿３１が搬送ローラ対３８、３８ａおよび中間搬送ローラ４１、４１ａに挟持されている間は、原稿３１が張った状態で、コンタクトガラス３３と非接触となりかつ読み取りガイド部材５１との接触面が小さい状態を維持する。
原稿３１の画像面を読み取る読み取り部４０はコンタクトガラス３３の下方の装置本体５０に設けられ、画像読み取りのさいに、コンタクトガラス３３の下方で図の左右方向に移動、または読み取り位置下方で停止可能になっている。
排紙部は読み取りの後の原稿３１を排紙トレイ４５または中間トレイ４７に排出する。排紙部は中間搬送ローラ４１、４１ａを介して搬送されてきた原稿３１を検知する排紙センサ（例えば、光学式反射形センサ）４３、排紙時または反転時における搬送方向変更用の切り換え爪４４を有している。
排紙部は、また、搬送方向変更タイミングトリガとしての検知情報を得るための反転センサ（例えば、光学式反射形センサ）４８、および排紙ローラ４２および反転ローラ４６を有している。
【００１１】
本実施の形態の自動原稿搬送装置（ＡＤＦ）５２は図示してないヒンジ等の連結部材によって装置本体５０に連結され、矢印Ｃ方向に開閉自在に構成されている。装置本体５０の操作部におけるスタートボタンの押し下げによりＡＤＦ側にスタート信号が送られることによって、最上位から順番に１枚ずつ給紙されるように構成されている。
ＡＤＦ５２は、コンタクトガラス３３面を所定の速度で原稿３１を搬送し、画像の読み取りを行う読み取り装置で、コンタクトガラス３３の原稿通紙面より所定量高いガイド面がコンタクトガラス３３の原稿搬送面の原稿読み取りライン位置より上流位置に形成されている。
突起状部材（本体側ガイド）５０ｃがコンタクトガラス３３の下流端にコンタクトガラス３３の原稿通紙面より原稿３１を掬い上げる傾斜面を有すると共に、コンタクトガラス３３の上面には、原稿３１の上方へのバタ付きを押さえる原稿押さえ部材５１を配置している。
図１１は図１０の原稿画像読み取り装置の読み取り部周辺を拡大して示す概略図である。符号５０ａはＡＤＦ側ガイドである。
【００１２】
図１２は図１０の原稿画像読み取り装置の読み取り部周辺を示す概略図である。搬送ローラ対３８、３８ａにより読み取り部に送られる原稿３１の先端のコンタクトガラス３３への最初の着地点は、コンタクトガラス３３上の読み取りライン５３の少し上流に設定されている。
コンタクトガラス３３の下流側端部に設けられた原稿３１をコンタクトガラス３３よりピックアップしてガイドする本体側ガイド５０ｃには、その上流側に、プレ本体側ガイド５０ｂが設けられている。
さらに、読み取りガイド部材５１の下流側には、下方へ突出する突起５１ａが設けられている。前記プレ本体側ガイド５０ｂの頂点の高さ（最上流の凸部の最頂部）５０ｂ１と、前記読み取りがイド部材５１の下流側の端部、すなわち、下方へ突出する突起５１ａの高さ方向との位置関係は以下のようになっている。
すなわち、同一面位置、或いは、突起５１ａの方が、プレ本体側ガイド５０ｂより低い位置まで落ち込んだ設定となっている。従来からの本体側ガイド５０ｃは従来と同じで、原稿を次の中間搬送ローラ対４１、４１ａに受け渡す。
このように読み取りガイド部材（原稿押さえ部材）５１の下流側の端部が、突起形状部分の少なくとも最上流の凸部５０ｂ１よりも下流位置で、最上流の凸部の最頂部とほぼ同一の高さ、或いは最頂部よりも所定量低い点まで落ち込んだ位置に設定されているため、後述する優れた効果を発揮することができる。
図１３は原稿の搬送状態がさらに進んでコンタクトガラスの下流端の位置まで来た状態を示す図１２と同様な本発明による原稿画像読み取り装置の読み取り部周辺を示す概略図である。
図１３に示すように、原稿３１が斜め上方より下方を向いて進入するため、原稿３１のコンタクトガラス３３との接触位置は、原稿３１のリード（先端）エッジのみで、原稿３１の面はコンタクトガラス３３に接触しない。
図１４は図１３の場合よりさらに原稿の搬送状態が進んだ状態を示す図１２と同様な本発明による原稿画像読み取り装置の読み取り部周辺を示す概略図である。原稿３１の形状は、プレ本体側ガイド５０ｂに、その先端が乗り上げるとほぼ水平になり、コンタクトガラス３３と平行な状態でコンタクトガラス３３面から浮き上がって搬送される。
【００１３】
図１５は原稿搬送が図１４の場合よりもさらに進行した状態を示す図１２と同様な本発明による原稿画像読み取り装置の読み取り部周辺を示す概略図である。この場合に、原稿３１の後端はコンタクトガラス３３上の進入ガイド５４を離れている。
原稿３１の後端は、プレ本体側ガイド５０ｂと、読み取りがイド部材５１の下流側の、下方へ突出している突起５１ａの底面とに支えられて、コンタクトガラス３３に接触することなく搬送される。
このように、本発明のガイド構成によれば、原稿３１面は、終始コンタクトガラス３３面と一定の距離を置いて搬送されるため原稿３１に付いていた異物をコンタクトガラス３３に擦り付ける作用が無い。
なお、唯一、原稿３１とコンタクトガラス３３との接触が有るのは、原稿３１の先端（リード）エッジであり、これは、コンタクトガラス３３面上に落下した異物を除去する効果が有る。
上述した第２の実施の形態によれば、原稿読み取り搬送中の原稿３１面を、先端部分から後端部分まで、ほぼ全域にわたってコンタクトガラス３３面に摺擦させることなく搬送できるので、原稿３１が運んでくる読み取り画像に悪影響を及ぼす異物をコンタクトガラス３３面上に落としたり、擦り付けたりする確率が格段に低下する。
また、原稿３１の先端エッジ部分でコンタクトガラス３３面に落下した移動性の異物をスクレーパの作用で掻き取り、移動性の異物が、たまたま読み取りライン上にあった場合でも、その異物を排除できるチャンスがある。
さらに、読み取りポイントを上記で述べた異物掻き取りポイントより下流側とすることで、異物が掃除されたコンタクトガラス３３面で読み取りが行われるため、たまたま読み取りライン上に異物が有ったためにスジが発生したと言った場合のスジ発生確率を低減させることができる。
【図面の簡単な説明】
【００１４】
【図１】本発明による原稿読み取り装置の第１の実施の形態を示す概略図。
【図２】読み取り前後の搬送ローラ駆動が１個のローラで構成されている構造を示す拡大図。
【図３】読み取り前後の搬送ローラ駆動が別々の駆動ローラを有する構造を示す拡大図。
【図４】図１のコンタクトガラスに設けられる段差の第１の実施の形態を示す概略図。
【図５】図１のコンタクトガラスに設けられる段差の第２の実施の形態を示す概略図。
【図６】図１のコンタクトガラスに設けられる段差の第３の実施の形態を示す概略図。
【図７】原稿先端が段差部に進入する挙動を示す概略図。
【図８】原稿先端が段差部を通過した挙動を示す概略図。
【図９】原稿後端が段差部に進入する挙動を示す概略図。
【図１０】本発明による原稿画像読み取り装置の第２の実施の形態を説明する概略図。
【図１１】図１０の原稿画像読み取り装置の読み取り部周辺を拡大して示す概略図。
【図１２】図１０の原稿画像読み取り装置の読み取り部周辺を示す概略図。
【図１３】原稿の搬送状態がさらに進んでコンタクトガラスの下流端の位置まで来た状態を示す図１２と同様な本発明による原稿画像読み取り装置の読み取り部周辺を示す概略図。
【図１４】図１３の場合よりさらに原稿の搬送状態が進んだ状態を示す図１２と同様な本発明による原稿画像読み取り装置の読み取り部周辺を示す概略図。
【図１５】搬送が図１４の場合よりもさらに進行した状態を示す図１２と同様な本発明による原稿画像読み取り装置の読み取り部周辺を示す概略図。
【符号の説明】
【００１５】
１      原稿
１１      コンタクトガラス
１８      段差部
３１      原稿
３３      コンタクトガラス
４０      読み取り部
５０ｂ    突起状部材（プレ本体側ガイド、突起形状部分）
５０ｂ１  最上流の凸部の最頂部
５０ｃ    突起状部材（本体側ガイド、突起形状部分）
５１      原稿押さえ部材（読み取りガイド板）
５１ａ    原稿押さえ部材の端部（下方へ突出する突起）
【図１】
2005260831.tif 000003
【図２】
2005260831.tif 000004
【図３】
2005260831.tif 000005
【図４】
2005260831.tif 000006
【図５】
2005260831.tif 000007
【図６】
2005260831.tif 000008
【図７】
2005260831.tif 000009
【図８】
2005260831.tif 000010
【図９】
2005260831.tif 000011
【図１０】
2005260831.tif 000012
【図１１】
2005260831.tif 000013
【図１２】
2005260831.tif 000014
【図１３】
2005260831.tif 000015
【図１４】
2005260831.tif 000016
【図１５】
2005260831.tif 000017